(57)【特許請求の範囲】
【請求項１】
複数の周辺機器を有する端末装置と、この端末装置と通信回線を介して接続されている監視装置とからなる処理システムにおいて、
上記端末装置が、
複数の周辺機器と、
上記周辺機器の故障を検知する検知手段と、
この検知手段により故障が検知された周辺機器の故障データを上記監視装置へ送信する第１の送信手段とを備え、
上記監視装置が、
上記端末装置の各周辺機器の故障時にそれぞれ故障表示する複数の故障表示器と、
上記端末装置からの複数の周辺機器の故障データを受信する第１の受信手段と、
この第１の受信手段により故障データを受信した際、その故障が生じた周辺機器に対応する故障表示器を故障表示させる第１の表示手段とを備え、
さらに、上記端末装置は、上記端末装置と上記監視装置との回線が切断された際、上記検知手段により検知されている周辺機器の故障状態、および周辺機器の故障が解除された復旧状態を保持する保持手段と、
上記監視装置との回線が復旧された際、上記第１の表示手段による故障表示をクリアさせるためのステータスクリアデータを送信する第２の送信手段とを備え、
上記監視装置は、上記端末装置からのステータスクリアデータを受信する第２の受信手段と、
この第２の受信手段によりステータスクリアデータを受信した際、上記各故障表示器の故障表示をクリアする制御部とを具備したことを特徴とする処理システム。
【請求項２】
複数の周辺機器を有する端末装置と、この端末装置と通信回線を介して接続されている監視装置とからなる処理システムにおいて、
上記端末装置が、
複数の周辺機器と、
上記周辺機器の故障を検知する検知手段と、
この検知手段により故障が検知された周辺機器の故障データを上記監視装置へ送信する第１の送信手段とを備え、
上記監視装置が、
上記端末装置の各周辺機器の故障時にそれぞれ故障表示する複数の故障表示器と、
上記端末装置からの複数の周辺機器の故障データを受信する第１の受信手段と、
この第１の受信手段により故障データを受信した際、その故障が生じた周辺機器に対応する故障表示器を故障表示させる第１の表示手段とを備え、
さらに、上記端末装置は、上記端末装置と上記監視装置との回線が切断された際、上記検知手段により検知されている周辺機器の故障状態、および周辺機器の故障が解除された復旧状態を保持する保持手段と、
上記監視装置との回線が復旧された際、上記第１の表示手段による故障表示をクリアさせるためのステータスクリアデータを送信する第２の送信手段とを備え、
上記監視装置は、上記端末装置の第２の送信手段から送信されるステータスクリアデータを受信する第２の受信手段と、
この第２の受信手段によりステータスクリアデータを受信した際、上記各故障表示器を故障表示をクリアする制御部とを備え、
さらにまた、上記端末装置は、上記第２の送信手段によるステータスクリアデータの送信に対する応答を受信したとき、上記保持手段に保持されている周辺機器の故障状態および復旧状態に基づいて周辺機器の故障情報を上記監視装置へ送信する第３の送信手段とを備え、
上記監視装置は、上記端末装置の第３の送信手段により送信された故障情報を受信したとき、この受信した故障情報に基づいた周辺機器に対応する故障表示を行う第２の表示手段とを具備したことを特徴とする処理システム。
【請求項３】
複数の周辺機器を有する端末装置と、この端末装置と通信回線を介して接続されている監視装置とからなるものにおいて、
上記端末装置により複数の周辺機器の故障を検知し、
この故障が検知された周辺機器の故障データを上記端末装置から上記監視装置へ送信し、
この故障データを受信した際、上記監視装置が、その故障が生じた周辺機器に対応する故障表示器を故障表示し、
上記端末装置と上記監視装置との回線が切断された際、上記端末装置は、上記検知手段により検知されている周辺機器の故障状態、および周辺機器の故障が解除された復旧状態を保持し、
上記監視装置との回線が復旧された際、上記端末装置は、上記故障表示をクリアさせるためのステータスクリアデータを上記監視装置へ送信し、
このステータスクリアデータを受信した際、上記監視装置は、上記各故障表示器の故障表示をクリアする
ことを特徴とする処理方法。
【請求項４】
複数の周辺機器を有する端末装置と、この端末装置と通信回線を介して接続されている監視装置とからなるものにおいて、
上記端末装置により複数の周辺機器の故障を検知し、
この故障が検知された周辺機器の故障データを上記端末装置から上記監視装置へ送信し、
この故障データを受信した際、上記監視装置が、その故障が生じた周辺機器に対応する故障表示器を故障表示し、
上記端末装置と上記監視装置との回線が切断された際、上記端末装置は、上記検知手段により検知されている周辺機器の故障状態、および周辺機器の故障が解除された復旧状態を保持し、
上記監視装置との回線が復旧された際、上記端末装置は、上記故障表示をクリアさせるためのステータスクリアデータを上記監視装置へ送信し、
このステータスクリアデータを受信した際、上記監視装置は、上記各故障表示器の故障表示をクリアし、
上記端末装置は、上記ステータスクリアデータの送信に対する応答を受信したとき、上記保持されている周辺機器の故障状態および復旧状態に基づいて周辺機器の故障情報を上記監視装置へ送信し、
上記監視装置は、上記端末装置から送信された故障情報を受信したとき、この受信した故障情報に基づいた周辺機器に対応する故障表示を行う、
ことを特徴とする処理方法。
【発明の詳細な説明】
【０００１】
【産業上の利用分野】
この発明は、たとえば複数の周辺機器を有する端末装置としての有料道路の料金収受機と、この料金収受機と通信回線を介して接続されている監視装置とからなる処理システムと処理方法に関する。
【０００２】
【従来の技術】
従来、有料道路の料金所の各レーンごとに、車両検知装置や料金表示器や領収書発行機などの複数の周辺機器が接続されている端末装置としての料金収受機と、この料金収受機と通信回線を介して接続されている監視装置とからなる処理システムが実用化されている。
【０００３】
また、監視装置では、料金所の各レーンごとに設置された監視テレビにより映される映像により、レーン進入車両に対する交通状況の監視、料金収受状況の監視、故障機器の監視を行うようになっている。
【０００４】
このような処理システムでは、周辺機器に故障が発生すると、その故障が料金収受機を経由して監視装置に送信される。これにより、監視装置は各周辺機器に対応する故障表示器を点灯する。また、監視装置と料金収受機との間で回線断が発生した場合、回線断中に発生した故障データは料金収受機側で保持される。そして、監視装置と料金収受機との間の回線復旧後、料金収受機は保持している最新データを監視装置に送信する。
【０００５】
上記のような処理システムでは、以下のような問題が生じた。
すなわち、図５に示すように、監視装置と料金収受機との間の回線断前に３台の周辺機器が故障し、その故障を示す故障データがそれぞれ料金収受機より監視装置へ送信されている。これにより、監視装置は各周辺機器に対応する故障表示器を点灯する。その後、監視装置と料金収受機との間が回線断となりその間に一台を残し復旧したとする。
【０００６】
そして、監視装置と料金収受機との間の回線が復旧した際、料金収受機は監視装置に対し、故障となっている１台の周辺機器に対する故障データを送信し、ついで、監視装置からの応答に応じて、復旧した２台の周辺機器に対する復旧データを順次送信する。これらの送信により、監視装置は復旧した２台の周辺機器に対応する故障表示器を消灯する。
【０００７】
したがって、監視装置と料金収受機との間の回線断中に周辺機器に対する故障が復旧した場合に、その復旧データについても監視装置へ送信していたため、データの転送が何回も行われ、転送エラーの要因が増大するとともに、処理時間が長くかかってしまうという欠点があった。
【０００８】
【発明が解決しようとする課題】
この発明は、上記したように、監視装置と料金収受機との間の回線断中に周辺機器に対する故障が復旧した場合に、その復旧データについても監視装置へ送信していたため、データの転送が何回も行われ、転送エラーの要因が増大するとともに、処理時間が長くかかってしまうという欠点を除去するもので、監視装置と料金収受機とのデータ転送において、データの転送を少なくでき、処理時間の短縮が図れる処理システムと処理方法を提供することを目的とする。
【０００９】
【課題を解決するための手段】
この発明は、複数の周辺機器を有する端末装置と、この端末装置と通信回線を介して接続されている監視装置とからなる処理システムにおいて、上記端末装置が、複数の周辺機器と、上記周辺機器の故障を検知する検知手段と、この検知手段により故障が検知された周辺機器の故障データを上記監視装置へ送信する第１の送信手段とを備え、上記監視装置が、上記端末装置の各周辺機器の故障時にそれぞれ故障表示する複数の故障表示器と、上記端末装置からの複数の周辺機器の故障データを受信する第１の受信手段と、この第１の受信手段により故障データを受信した際、その故障が生じた周辺機器に対応する故障表示器を故障表示させる第１の表示手段とを備え、さらに、上記端末装置は、上記端末装置と上記監視装置との回線が切断された際、上記検知手段により検知されている周辺機器の故障状態、および周辺機器の故障が解除された復旧状態を保持する保持手段と、上記監視装置との回線が復旧された際、上記第１の表示手段による故障表示をクリアさせるためのステータスクリアデータを送信する第２の送信手段とを備え、上記監視装置は、上記端末装置からのステータスクリアデータを受信する第２の受信手段と、この第２の受信手段によりステータスクリアデータを受信した際、上記各故障表示器の故障表示をクリアする制御部とを具備したものである。
【００１０】
この発明は、複数の周辺機器を有する端末装置と、この端末装置と通信回線を介して接続されている監視装置とからなる処理システムにおいて、上記端末装置が、複数の周辺機器と、上記周辺機器の故障を検知する検知手段と、この検知手段により故障が検知された周辺機器の故障データを上記監視装置へ送信する第１の送信手段とを備え、上記監視装置が、上記端末装置の各周辺機器の故障時にそれぞれ故障表示する複数の故障表示器と、上記端末装置からの複数の周辺機器の故障データを受信する第１の受信手段と、この第１の受信手段により故障データを受信した際、その故障が生じた周辺機器に対応する故障表示器を故障表示させる第１の表示手段とを備え、さらに、上記端末装置は、上記端末装置と上記監視装置との回線が切断された際、上記検知手段により検知されている周辺機器の故障状態、および周辺機器の故障が解除された復旧状態を保持する保持手段と、上記監視装置との回線が復旧された際、上記第１の表示手段による故障表示をクリアさせるためのステータスクリアデータを送信する第２の送信手段とを備え、上記監視装置は、上記端末装置の第２の送信手段から送信されるステータスクリアデータを受信する第２の受信手段と、この第２の受信手段によりステータスクリアデータを受信した際、上記各故障表示器を故障表示をクリアする制御部とを備え、さらにまた、上記端末装置は、上記第２の送信手段によるステータスクリアデータの送信に対する応答を受信したとき、上記保持手段に保持されている周辺機器の故障状態および復旧状態に基づいて周辺機器の故障情報を上記監視装置へ送信する第３の送信手段とを備え、上記監視装置は、上記端末装置の第３の送信手段により送信された故障情報を受信したとき、この受信した故障情報に基づいた周辺機器に対応する故障表示を行う第２の表示手段とを具備したものである。
【００１１】
この発明は、複数の周辺機器を有する端末装置と、この端末装置と通信回線を介して接続されている監視装置とからなるものにおいて、上記端末装置により複数の周辺機器の故障を検知し、この故障が検知された周辺機器の故障データを上記端末装置から上記監視装置へ送信し、この故障データを受信した際、上記監視装置が、その故障が生じた周辺機器に対応する故障表示器を故障表示し、上記端末装置と上記監視装置との回線が切断された際、上記端末装置は、上記検知手段により検知されている周辺機器の故障状態、および周辺機器の故障が解除された復旧状態を保持し、上記監視装置との回線が復旧された際、上記端末装置は、上記故障表示をクリアさせるためのステータスクリアデータを上記監視装置へ送信し、このステータスクリアデータを受信した際、上記監視装置は、上記各故障表示器の故障表示をクリアするものである。
【００１２】
この発明は、複数の周辺機器を有する端末装置と、この端末装置と通信回線を介して接続されている監視装置とからなるものにおいて、上記端末装置により複数の周辺機器の故障を検知し、この故障が検知された周辺機器の故障データを上記端末装置から上記監視装置へ送信し、この故障データを受信した際、上記監視装置が、その故障が生じた周辺機器に対応する故障表示器を故障表示し、上記端末装置と上記監視装置との回線が切断された際、上記端末装置は、上記検知手段により検知されている周辺機器の故障状態、および周辺機器の故障が解除された復旧状態を保持し、上記監視装置との回線が復旧された際、上記端末装置は、上記故障表示をクリアさせるためのステータスクリアデータを上記監視装置へ送信し、このステータスクリアデータを受信した際、上記監視装置は、上記各故障表示器の故障表示をクリアし、上記端末装置は、上記ステータスクリアデータの送信に対する応答を受信したとき、上記保持されている周辺機器の故障状態および復旧状態に基づいて周辺機器の故障情報を上記監視装置へ送信し、上記監視装置は、上記端末装置から送信された故障情報を受信したとき、この受信した故障情報に基づいた周辺機器に対応する故障表示を行うものである。
【００１３】
【作用】
この発明は、監視装置と端末機器との通信回線が切断されてその後復旧したとき、端末装置から監視装置に対して端末装置の故障データに関するデータをクリアするためのステータスクリアデータを送信し、このステータスクリアデータにより監視装置における故障データをクリアし、監視装置の故障データをクリアした後に、通信回線切断中に更新された端末装置の故障データを送信するものである。
【００１４】
【実施例】
以下、この発明の一実施例について図面を参照して説明する。
図１はこの発明の有料道路の料金所における処理システムである。
すなわち、上記処理システムは、有料道路の料金所１０の各レーンごとに、車両検知装置１１や料金表示器１２や領収書発行機１３などの複数の周辺機器が接続されている端末装置としての料金収受機１、…と、この料金収受機１、…と通信回線２を介して接続されている監視装置３と、料金収受機１と通信回線４を介して接続されているデータ集計機５とから構成されている。
【００１５】
車両検知装置１１は、対応するレーンに進入してきた車両を検知するものであり、たとえば、車両の通過を光電検知するためにレーンを挟んで両側に立設された２組の光電検知灯によって構成されている。料金表示器１２は、利用料金（徴収料金）を表示するものである。領収書発行機１３は、利用料金の支払いに対する領収書を発行するものである。
【００１６】
料金収受機１は、利用料金の収受を行うものであり、料金収受機１の全体を制御する制御部２１、種々の条件等を入力する入力部２２、利用料金（徴収料金）や釣銭金額等を表示する表示部２３、上記通信回線２に接続され上記監視装置３との間のデータ転送を行う転送部２４、および上記通信回線４に接続され上記データ集計機５との間のデータ転送を行う転送部２５によって構成されている。
【００１７】
上記制御部２１には、監視装置３との回線断時、故障状況等を記憶するメモリ２１ａを有している。
また、上記車両検知装置１１、料金表示器１２、領収書発行機１３、料金収受機１には、それぞれ故障を検知する検知手段（図示しない）が内蔵されている。
【００１８】
上記監視装置３は、料金収受機１とのデータ転送により、料金収受機１と周辺機器としての車両検知装置１１や料金表示器１２や領収書発行機１３などの故障状態を表示するようになっている。
【００１９】
また、上記監視装置３では、料金所１０の各レーンごとに設置される監視テレビ１４により映される映像により、レーン進入車両に対する交通状況の監視、料金収受状況の監視、故障機器の監視を行うようになっている。
【００２０】
上記監視装置３は、監視装置３の全体を制御する制御部３１、種々の条件等を入力する入力部３２、上記車両検知装置１１、料金表示器１２、領収書発行機１３、料金収受機１のそれぞれの故障を示す故障表示器３３ａ、３３ｂ、…等を有する表示部３４、上記通信回線２に接続され上記料金収受機１との間のデータ転送を行う転送部３５、および上記監視カメラ１４からの映像信号が供給される料金所表示部３６によって構成されている。
【００２１】
上記データ集計機５は、各料金収受機１からの料金の収受内容の集計を取るものである。
つぎに、上記のような構成において、図２に示すデータ転送状態図と、図３、図４に示すフローチャートを参照しつつ、料金収受機１と監視装置３とのデータのやり取りを説明する。
【００２２】
すなわち、料金収受機１と監視装置３との回線が接続されている状態で、まず、車両検知装置１１に故障が発生すると、その車両検知装置１１の故障が料金収受機１により故障１として監視装置３に送信される。これにより、監視装置３内の制御部３１は故障データの受信に対する応答を料金収受機１に送信するとともに、表示部３４内の故障表示器３３ａを点灯する。
【００２３】
また、料金表示器１２に故障が発生すると、その料金表示器１２の故障が料金収受機１により故障２として監視装置３に送信される。これにより、監視装置３内の制御部３１は故障データの受信に対する応答を料金収受機１に送信するとともに、表示部３４内の故障表示器３３ｂを点灯する。
【００２４】
さらに、領収書発行機１３に故障が発生すると、その領収書発行機１３の故障が料金収受機１により故障３として監視装置３に送信される。これにより、監視装置３内の制御部３１は故障データの受信に対する応答を料金収受機１に送信するとともに、表示部３４内の故障表示器３３ｃを点灯する。
【００２５】
そして、監視装置３と料金収受機１との間で回線断が発生した場合、料金収受機１の制御部２１は回線断中に発生した故障データや復旧データをメモリ２１ａで保持する。
【００２６】
ついで、監視装置３と料金収受機１との間の回線が復旧した際、料金収受機１の制御部２１はステータスクリアデータを監視装置３へ送信する。すると、監視装置３内の制御部３１は、表示部３４内の点灯されている故障表示器３３ａ、３３ｂ、３３ｃを全て消灯する。
【００２７】
さらに、料金収受機１の制御部２１はメモリ２１ａに保持している最新データを監視装置３に送信する。
たとえば、車両検知装置１１と領収書発行機１３の故障が復旧され、料金表示器１２の故障が復旧されていない場合、料金収受機１により故障２として監視装置３に送信される。これにより、監視装置３内の制御部３１は故障データの受信に対する応答を料金収受機１に送信するとともに、表示部３４内の故障表示器３３ｂを点灯する。
【００２８】
上記したように、監視装置と料金収受機との回線が復旧した場合に、料金収受機から監視装置へステータスクリアデータを送信することにより、回線断となる前までの監視装置の故障表示を全てクリアし、その後、故障の内容を料金収受機から監視装置へ送信するようにしたものである。
【００２９】
これにより、監視装置と料金収受機とのデータ転送において、データの転送を少なくでき、処理時間の短縮が図れる。
また、回線断後の復旧時に、復旧データを送信する必要がなくなり、無駄なデータ転送を省くことができる。
【００３０】
【発明の効果】
以上詳述したように、この発明によれば、監視装置と料金収受機とのデータ転送において、データの転送を少なくでき、処理時間の短縮が図れる処理システムと処理方法を提供できる。さらにこの発明は、監視装置と端末機器において復旧の前と後とで端末装置の故障データに不一致が生じず、かつ故障データのデータ転送を効率よく行うことができる処理システムと処理方法を提供できる。
【図面の簡単な説明】
【図１】この発明の一実施例における処理システムの全体の構成を示すブロック図。
【図２】料金収受機と監視装置とのデータのやり取りを説明するためのデータ転送状態図。
【図３】料金収受機と監視装置とのデータのやり取りを説明するためのフローチャート。
【図４】料金収受機と監視装置とのデータのやり取りを説明するためのフローチャート。
【図５】従来の料金収受機と監視装置とのデータのやり取りを説明するためのデータ転送状態図。
【符号の説明】
１…料金収受機
２…通信回線
３…監視装置
１１…車両検知装置
１２…料金表示器
１３…領収書発行機
２１、３１…制御部
２１ａ…メモリ
２４、２５、３５…転送部
３３ａ、〜…故障表示器
【図１】
0003618784.tif 000002
【図２】
0003618784.tif 000003
【図３】
0003618784.tif 000004
【図４】
0003618784.tif 000005
【図５】
0003618784.tif 000006